(57)【要約】本発明の目的は、記録媒体から再生されたマークのエッジ位置が変化しないように、記録媒体にマークを記録することができる高密度光磁気記録再生装置及び、高密度光磁気記録再生方法を提供することである。この目的を達成するために、光磁気記録媒体に情報マークを記録し又は再生する光磁気記録再生装置を、記録情報マークの長さを判断する手段と、当該記録情報マークの直前に記録されたマークの長さに応じて、当該マークを記録する記録磁界強度を変更する手段を有するように構成する。
2004006239.tif 000002
【特許請求の範囲】
【請求項１】
レーザ光と磁界を用いて、光磁気記録媒体に情報マークを記録し及び再生する光磁気記録再生装置において、
記録情報マークの長さを判断する手段と、
当該記録情報マークの直前に記録されたマークの長さに応じて、当該マークを記録する記録磁界強度を変更する手段を有することを特徴とする、光磁気記録媒体に情報マークを記録し又は再生する光磁気記録再生装置。
【請求項２】
レーザ光と磁界を用いて、光磁気記録媒体に情報マークを記録し及び再生する光磁気記録再生装置において、
記録情報マークの長さを判断する手段と、
当該記録情報マークの直前に記録されたマークの長さに応じて、当該マークを記録する記録磁界の変化点を変更する手段とを有することを特徴とする、光磁気記録媒体に情報マークを記録し又は再生する光磁気記録再生装置。
【請求項３】
レーザ光と磁界を用いて、光磁気記録媒体に情報マークを記録し及び再生する光磁気記録再生装置において、
記録情報マークの長さを判断する手段と、
当該記録情報マークの直前に記録されたマークの長さに応じて、当該マークを記録するレーザ光の発光パワーを変更する手段とを有することを特徴とする、光磁気記録媒体に情報マークを記録し又は再生する光磁気記録再生装置。
【請求項４】
レーザ光と磁界を用いて、光磁気記録媒体に情報マークを記録し及び再生する光磁気記録再生装置において、
記録情報マークの長さを判断する手段と、
当該記録情報マークの直前に記録されたマークの長さに応じて、当該マークを記録するレーザ光の発光時点を変更する手段とを有することを特徴とする、光磁気記録媒体に情報マークを記録し又は再生する光磁気記録再生装置。
【請求項５】
レーザ光と磁界を用いて、光磁気記録媒体に情報マークを記録する方法において、
記録情報マークの長さを判断するステップと、
当該記録清報マークの直前に記録されたマークの長さに応じて、当該マークを記録する記録磁界強度を変更するステップを有することを特徴とする、方法。
【請求項６】
レーザ光と磁界を用いて、光磁気記録媒体に情報マークを記録する方法において、
記録情報マークの長さを判断するステップと、
当該記録情報マークの直前に記録されたマークの長さに応じて、当該マークを記録する記録磁界の変化点を変更するステップとを有することを特徴とする、方法。
【請求項７】
レーザ光と磁界を用いて、光磁気記録媒体に情報マークを記録する方法において、
記録情報マークの長さを判断するステップと、
当該記録情報マークの直前に記録されたマークの長さに応じて、当該マークを記録するレーザ光の発光パワーを変更するステップとを有することを特徴とする、方法。
【請求項８】
レーザ光と磁界を用いて、光磁気記録媒体に情報マークを記録する方法において、
記録情報マークの長さを判断するステップと、
当該記録情報マークの直前に記録されたマークの長さに応じて、当該マークを記録するレーザ光の発光時点を変更するステップとを有することを特徴とする、方法。
【請求項９】
ユーザデータの記録の前に、光磁気記録媒体の予め定められた試験領域に、所定の情報を記録するステップと、
前記記録された所定の情報の再生結果に基づいて、変更する記録磁界強度を決定するステップとを更に有する、請求項５に記載の光磁気記録媒体に情報マークを記録する方法。
【請求項１０】
ユーザデータの記録の前に、光磁気記録媒体の予め定められた試験領域に、所定の情報を記録するステップと、
前記記録された所定の情報の再生結果に基づいて、変更する記録磁界の変化点を決定するステップとを更に有する、請求項６に記載の光磁気記録媒体に情報マークを記録する方法。
【請求項１１】
ユーザデータの記録の前に、光磁気記録媒体の予め定められた試験領域に、所定の情報を記録するステップと、
前記記録された所定の情報の再生結果に基づいて、変更するレーザ光の発光パワーを決定するステップとを更に有する、請求項７に記載の光磁気記録媒体に情報マークを記録する方法。
【請求項１２】
ユーザデータの記録の前に、光磁気記録媒体の予め定められた試験領域に、所定の情報を記録するステップと、
前記記録された所定の情報の再生結果に基づいて、変更するレーザ光の発光時点を決定するステップとを更に有する、請求項８に記載の光磁気記録媒体に情報マークを記録する方法。
【請求項１３】
光磁気記録媒体から情報マークを再生する方法であって、
再生された情報マークを所定のサンプリング時点でサンプリングする手段と、
サンプリングされた前記情報マークの長さを検出する手段と、
検出された前記情報マークの長さに応じて、次にサンプリングする情報マークの前記サンプリング時点を変更する手段とを有する、方法。
【請求項１４】
ユーザデータを記憶する光磁気記録領域の一部に、情報マークのエッジシフトを検出する位相検出パターンを記録する領域を設けたことを特徴とする、光磁気記録媒体。
【請求項１５】
請求項１４に記載の光磁気記録媒体に記録された位相検出パターンの再生結果に基づいて、変更する前記サンプリング時点を決定する、請求項１３に記載の、光磁気記録媒体から情報マークを再生する方法。
【発明の詳細な説明】
【技術分野】  本発明は、高密度光磁気記録再生装置及び、高密度光磁気記録再生方法に関連し、特に、微小マークの記録再生に適する高密度光磁気記録再生装置及び、高密度光磁気記録再生方法に関する。
【背景技術】  光磁気ディスクへの情報の記録方式には、主に光変調方式と磁界変調方式の２種類がある。
光変調方式は、レーザー光の照射量を、記録する情報に応じて変調する方式である。この方式では、記録可能な最小マークの大きさが、光学系の特性により定まる。
一方、磁界変調方式では、一定値のレーザー光を照射し、磁界を反転して情報を記録する。しかし、磁界が反転するためには、有限な反転時間を必要とするので、変調磁界の周波数が高くなると、磁界が反転することにより形成されたエッジ領域が不確定となる。このために、このように高い周波数を有する記録された信号を再生する場合には、再生信号のジッターが増加するという問題がある。この問題を解決するために、レーザー光をパルス状にして照射する方式が提案されている。
記録面にレーザー光を照射すると、記録面の温度が上昇し、そして、その温度がキュリー点を超えると、記録面に存在していた磁化が消失する。そして、レーザー光の照射が停止され、記録面の温度がキュリー点よりも下がったときに記録面に与えられている磁化の方向に従って、記録マークが形成される。
従って、パルス状のレーザー光を照射して、磁界変調記録を行うと、上述の磁化の反転時間は記録磁化の形成には影響せず、レーザーパルスを照射するタイミングのみにより、記録磁化を決定できる。これにより、再生信号のジッターを減少させることができる。従って、微小マークの記録に関しては、磁界変調方式の方が適している。
一方、記録された情報を再生する場合に、検出することができる記録されたマークの最小の寸法は、一般的には、読出しレーザー光の波長と開口数ＮＡの光学系のパラメータにより決定される。合焦されたレーザー光のスポットサイズは、レーザー光の波長に比例し且つ、ＮＡに反比例する。従って、レーザー光の波長が短いほど、そして、ＮＡが大きいほど、合焦されたレーザー光のスポットサイズを小さくできるので、より小さな記録されたマークの読出しが可能となる。
更に、記録された微小なマークを再生するために、上記のような、再生装置の技術とは別に、ＭＳＲ（磁気超解像方式）、ＤＷＤＤ（磁区移動検出方式）、及び、ＭＡＭＭＯＳ（磁区拡大再生方式）と呼ばれる媒体技術により、再生光学系のパラメータにより定まる限界以下の小さなサイズのマークを検出することを可能とする方法も存在する。
従って、上述のように、磁界変調方式を使用して記録を行い、且つ、短波長レーザー及び高ＮＡの光学系を使用して或は、ＤＷＤＤ等の媒体技術を使用して、高密度光磁気記録再生を実現することができる。
上述のように、磁界変調方式では、光変調方式と異なり、記録パターンによらず、マークのエッジの位置を最適化できる方式である。しかし、記録されるマークの長さが、微小な記録マークの場合には、上述の磁界変調方式を使用しても、記録されたマークのエッジ位置が変動するという問題がある。その理由は、次のようである。
図１は、従来技術の磁界変調方式による情報の記録を示す図である。図１（Ａ）は、光ディスクにレーザービームスポット１０１が入射された場合のディスクの温度分布１０２を示し、Ｔｃはキュリー温度を示す。また、矢印１０３は、入射するレーザービーム１０１を基準にしたときの、ディスク上の記録トラックの進行方向を示す。図１（Ｂ）と（Ｃ）は、ディスク上のトラックの記録層１０４に記録されたマークを示す。図１（Ｂ）では、参照番号１１０は現在記録されようとしているマークを示しそして、参照番号１１１は、マーク１１０の前に記録されたマーク、参照番号１１２は、マーク１１１の前に記録されたマークを示す。また、矢印１０５は、マーク１１０を記録する記録磁界の方向を示す。図１（Ｃ）では、参照番号１２０は現在記録されようとしているマークを示しそして、参照番号１２１は、マーク１２０の前に記録されたマーク、参照番号１２２は、マーク１２１の前に記録されたマークを示す。また、矢印１０５は、マーク１１０を記録する記録磁界の方向を示す。図１（Ｄ）は、前に記録されたマーク１１１又は１２１の記録磁界から、現在記録されているマーク１１０又は１２０の記録磁界への、記録磁界１０５の切り替わりを示す。また、図１（Ｅ）は、磁界変調方式で使用するレーザー光を発光させるパルス１３０を示す。図１（Ｅ）では、パルス１３０がハイレベルのときにレーザー光が発光するものとする。
磁界変調方式では、現在記録されているよりも前に記録されたマークの反磁界が、現在記録されているマークに影響を与える。例えば、図１（Ｂ）に示すように、現在記録されているマーク１１０の直前に記録されたマークが、短マーク１１１の場合には、その短マーク１１１とその前のマーク１１２の両方の反磁界が、現在記録されているマーク１１０に影響を与える。具体的には、マーク１１１の反磁界１１３と、マーク１１２の反磁界１１４が、記録磁界１０５に重ね合わされる。しかし、マーク１１１が短い場合には、マーク１１１の反磁界１１３と、マーク１１２の反磁界１１４の大きさが近づくために、この２つの磁界が互いに打ち消して、図１（Ｄ）に示す記録磁界１０５が変化する点で、磁界１０５によりマーク１１０が形成される。即ち、マーク１１１からマーク１１０への変化点は、磁界１０５の変化点に近づく。
これに対して、図１（Ｃ）に示すように、現在記録されているマーク１２０の直前のマーク１２１が長マークである場合には、直前のマーク１２１の反磁界１２３のみが、現在記録されているマーク１２０の形成に影響を与え、マーク１２２の反磁界１２４は、現在記録されるマーク１２０の形成に影響を与えない。従って、この場合には、マーク１２０の形成のために印加される記録磁界１０５に、更に、直前のマーク１２１の反磁界１２３が加算されることとなり、実質的に、記録磁界が増加する。このために、図１（Ｃ）に示すように、現在記録されるマーク１２０の直前のマーク１２１が長マークの場合には、図１（Ｄ）の記録磁界１０５の切り換え点よりも前に、現在記録されているマーク１２０が形成される。即ち、現在記録されているマークの直前のマークが、短マークか或は長マークかによって、現在記録されているマークのエッジ位置が変化するという問題がある。
【発明の開示】
本発明は、上述した従来技術の問題を解決する、高密度光磁気記録再生装置及び、高密度光磁気記録再生方法を提供することを目的とする。
本発明の目的は、記録媒体から再生されたマークのエッジ位置が変化しないように、記録媒体にマークを記録することができる高密度光磁気記録再生装置及び、高密度光磁気記録再生方法を提供することである。
更に本発明の他の目的は、記録媒体からマークを再生する際に、マークのエッジ位置の変化を補償することができる高密度光磁気記録再生装置及び、高密度光磁気記録再生方法を提供することである。
この目的を達成するために、光磁気記録媒体に情報マークを記録し又は再生する光磁気記録再生装置を、記録情報マークの長さを判断する手段と、当該記録情報マークの直前に記録されたマークの長さに応じて、当該マークを記録する記録磁界強度を変更する手段を有するように構成する。
これにより、再生されたマークのエッジ位置は変化しないので、記録媒体に、高密度にデータを記録することができる。
【図面の簡単な説明】  本発明の他の目的、特徴及び利点は、添付の図面を参照しながら以下の詳細な説明を読むことにより一層明瞭となるであろう。
図１は、従来技術の磁界変調方式による情報の記録を示す図である。
図２は、本発明の第１の実施例を示す図である。
図３は、本発明の第２の実施例を示す図である。
図４は、本発明の第２の実施例を示す図である。
図５は、本発明の第３の実施例を示す図である。
図６は、本発明の第４の実施例を示す図である。
図７は、本発明の第５の実施例を示す図である。
図８は、本発明の第６の実施例を示す図である。
図９は、本発明の第７の実施例の信号フォーマットを示す図である。
図１０は、本発明の第７の実施例の位相検出パターンの再生信号タイミングを示す図である。
図１１は、本発明の第７の実施例の概略の構成を示す図である。
【発明を実施するための最良の形態】  以下に、本発明を実施するための実施の形態について、図面を用いて説明する。
図２は、本発明の第１の実施例を示す。第１の実施例は、マークを記録媒体に記録する際に、記録されるマークを補正することによって、再生されるマークのエッジが、正規の位置になるように保持する。特に、図２は、現在記録されているマーク１２０の直前がに長マーク１２１が記録されている場合に、記録されるマークを補正する方法の実施例を示す。図２（Ａ）は、光ディスクにレーザービームスポットが入射された場合のディスクの温度分布１０２を示し、Ｔｃはキュリー温度を示す。また、矢印１０３は、入射するレーザービームを基準にしたときの、ディスク上の記録トラックの進行方向を示す。図２（Ｂ）は、ディスク上のトラックの記録層１０４に記録されたマークを示す。参照番号１２０は現在記録されているマークを示しそして、参照番号１２１は、マーク１２０の前に記録されたマークを示し、マーク１２１は長マークである。また、矢印１０５は、マーク１２０を記録する記録磁界を示す。また、図２（Ｃ）の参照番号１０５は、前に記録されたマーク１２１の記録磁界から、現在記録されているマーク１２０の記録磁界への、記録磁界１０５の切り替わりを示す。直前に記録されたマークが短マークの場合には、記録磁界の強度は、−Ｍ、＋Ｍであるとする。また、図２（Ｃ）の参照番号１３０は、磁界変調方式で使用するレーザー光を発光させるパルス１３０を示し、パルス１３０がハイレベルのときにレーザー光が発光するものとする。直前に記録されたマークが短マークの場合には、レーザー光を発光させるパルス１３０の強度はＡであるとする。また、図２（Ａ）から（Ｆ）にわたって伸びる破線２０１は、マーク１２１が短マークであったとした場合の、記録磁界１０５の切り換え及び、レーザー光を発光させるパルス１３０の発光タイミングを示す。
図２（Ｃ）は、マーク１２０を記録する場合の補正の一実施例を示す。図２（Ｃ）は、記録磁界１０５の振幅を制御する方法である。図２（Ｃ）では、長マーク１２１を記録するための記録磁界−Ｍから、マーク１２０を記録するための記録磁界＋Ｍへ、記録磁界１０５を変化させる時点は、直前に記録されたマークが短マークの場合と同じ時点に保持する。しかし、マーク１２０を記録する磁界の強度を、直前に記録されたマークが短マークの場合と比べて、所定の値ｍだけ、低下させ、（Ｍ−ｍ）とする。
一方、レーザー光を発光させるパルス１３０については、直前に記録されたマークが短マークの場合の発光時点と同一であり且つ、強度も、短マークを記録する場合の強度Ａと同一である。
図２（Ｄ）は、マーク１２０を記録する場合の補正の他の一実施例を示す。図２（Ｄ）は、記録磁界１０５の変化タイミングを制御する方法である。図２（Ｄ）は、長マーク１２１を記録するための記録磁界−Ｍから、マーク１２０を記録するための記録磁界＋Ｍへ、記録磁界１０５を変化させる時点を、直前に記録されたマークが短マークの場合と比べて時間ｔ１だけ遅延させる。しかし、マーク１２０を記録する磁界の強度は、変化させず＋Ｍのまま保持する。
一方、レーザー光を発光させるパルス１３０については、直前に記録されたマークが短マークの場合の発光時点と同一であり且つ、強度も、直前に記録されたマークが短マークの場合の強度Ａと同一である。
図２（Ｅ）は、マーク１２０を記録する場合の補正の他の一実施例を示す。図２（Ｅ）は、レーザー光を発光させるパルス１３０の振幅を制御する方法である。図２（Ｅ）は、レーザー光を発光させるパルス１３０の発光時点については、直前に記録されたマークが短マークの場合と同じ時点に保持する。しかし、レーザー光を発光させるパルス１３０の強度を、直前に記録されたマークが短マークの場合と比べて、所定の値ａだけ、低下させ、（Ａ−ａ）とする。
一方、記録磁界１０５については、直前に記録されたマークが短マークの場合の切り換え時点と同一であり且つ、振幅も、直前に記録されたマークが短マークの場合の振幅−Ｍ，＋Ｍと同一である。
図２（Ｆ）は、マーク１２０を記録する場合の補正の他の一実施例を示す。図２（Ｆ）は、レーザー光を発光させるパルス１３０の発光時点を制御する方法である。図２（Ｆ）は、レーザー光を発光させるパルス１３０の発光時点については、直前に記録されたマークが短マークの場合と比べて、時間ｔ２だけ遅延させる。しかし、レーザー光を発光させるパルス１３０の強度は、直前に記録されたマークが短マークの場合と、同一の値Ａに保持する。
一方、記録磁界１０５については、直前に記録されたマークが短マークの場合の切り換え時点と同一であり且つ、振幅も、直前に記録されたマークが短マークの場合の振幅−Ｍ，＋Ｍと同一である。
以上により、直前に記録されたマーク１２１が長マークの場合において、次に記録されたマーク１２０が再生されたときに、再生されたマークのエッジ位置が変化しないように、記録時に補正を行うことができる。
なお、上述の実施例では、直前に記録されたマークが短マークである場合を基準として、直前に記録されたマークが長マークである場合には、記録されるマークの記録磁界１０５又はレーザー光を発光させるパルス１３０を制御する構成とした。しかし、直前に記録されたマークが長マークである場合を基準として、直前に記録されたマークが短マークである場合には、記録されるマークの記録磁界１０５又はレーザー光を発光させるパルス１３０を、上述の実施例と逆に制御する構成としても、同様に、再生されたマークのエッジ位置が変化しないように、記録時に補正を行うことができる。
なお、上述の実施例では、直前に記録されたマークの長さのみを基準としたが、そのまた前のマークの長さを組み合わせることで、さらに精密な制御が可能となる。
更に、直前のマークの長さを２段階としたが、これを他段階としてもよい。
なお、最適補正量ｍ、ｔ１、ａ、ｔ２は、固定として高密度光磁気記録再生装置内に記憶し、当該パターンの直前に記録されたパターンに応じて読み出して使用しても良い。また、更に精密に制御を行うために、記録媒体のテスト領域において、テストパターンを記録し、且つそれを読み出して、決定しても良い。このようにすることにより、記録媒体毎に更に精密に、最適補正量ｍ、ｔ１、ａ、ｔ２を決定することができる。
次に本発明の第２の実施例について図３と４を用いて説明する。図３は、本発明の高密度光磁気記録再生装置の概略のブロックを示す。本発明の高密度光磁気記録再生装置は、主に、記録系３１０、磁気ヘッド３１１、光学ヘッド３１２、再生系３２０より構成される。記録時には、記録系３１０に、記録されるユーザデータ３０１が入力される。記録系３１０は、入力されたユーザデータ３１０を記録信号に処理し、磁気ヘッド３１１と光学ヘッド３１２へ出力する。磁気ヘッド３１１と光学ヘッド３１２は、光磁気記録媒体３１３に、記録系３１０で処理された信号を記録する。再生時には、ディスクに記録された信号が光学ヘッド３１２により読み出される。光学ヘッドにより読み出されたＭＯ信号３１４とクロックマーク３１５は、再生系３２０に送られ、再生信号が処理行われ、ユーザデータ３２１が出力される。
図４は、本発明の第２の実施例を示す図であり、上述の図３に示す記録系３１０に対応する。図４において図３と同一番号を付した構成要素は、同一の構成要素を示す。本実施例は、上述の第１の実施例で説明した、マークを記録媒体に記録する際に、記録されるマークを補正するための記録部の実施例を示す。図４に示す、記録系は、主に、変調回路４０１、記録補償回路４００より構成される。記録補償回路４００は、主に、マーク長検出器４０２、記録制御回路４０３、磁気ヘッド駆動回路４０４及び、レーザ駆動回路４０５より構成される。
ユーザデータ３０１が変調回路４０１に入力され、記録変調が行われる。変調回路４０１により変調されたユーザデータは、マーク長検出回路４０２にそのマーク長が検出される。本実施例では、マーク長検出回路４０２により検出されたマーク長が所定のしきい値以上の長さを有する場合には、記録制御回路に長マークが検出されたことを示す信号を送る。記録制御回路４０３は、長マークが検出されたことを示す信号がマーク長検出回路４０２から入力されると、その長マークの次のマークを記録するときに、第１の実施例で図２（Ｃ）から（Ｆ）により示した、記録磁界又はレーザー光を発光させるパルスの、振幅又は遅延時間の制御を行う。そして、記録制御回路４０３は、第１の実施例で図２（Ｃ）から（Ｆ）により示した制御を行った後に、磁気ヘッド駆動回路４０４及びレーザ駆動回路４０５のそれぞれに、駆動信号を供給する。磁気ヘッド駆動回路４０４及びレーザ駆動回路４０５は、供給された駆動信号により、磁気ヘッド３１１及び光ヘッド３１２を駆動して、光磁気記録媒体３１３に信号を記録する。
このように、本発明に従って、長マークを検出して、その後の記録マークを補正して、光磁気記録媒体３１３に記録することができる。
次に、記録補償回路４００の実施例を図５乃至図８を用いて、説明する。図５乃至８で、図４と同一番号を付した構成要素は、同一の構成要素を示す。
図５は、本発明の第３の実施例を示す図であり、図２（Ｃ）に対応する動作を実行する、記録補償回路４００の実施例を示す。
図５に示す記録補償回路４００は、主に、マーク長検出器４０２、磁界強度設定部５０１、磁気ヘッド駆動回路４０４、レーザ駆動回路４０５及び、クロック発生器５０２より構成される。図４の変調回路４０１より出力される記録データ４１１が、マーク長検出器４０２と、磁界強度設定回路５０１に供給される。また、クロック発生回路５０２により発生されたクロック５０３が、磁界強度設定回路５０１とレーザ駆動回路４０５に供給される。磁界強度設定回路５０１とレーザ駆動回路４０５は、供給されたクロック５０３を基準に動作する。
マーク長検出回路４０２により、所定の長さ以上のマーク長を有する長マークが検出されると、検出信号５０４が、磁界強度設定回路５０１に供給される。磁界強度設定回路５０１は、検出信号５０４が供給されると、次のマークを記録するときに、長マークを記録するための記録磁界−Ｍから、そのマークを記録するための記録磁界＋Ｍへ、記録磁界を変化させる時点は、直前に記録されたマークが短マークの場合と同じ時点に保持する。しかし、マークを記録する磁界の強度を、直前に記録されたマークが短マークの場合と比べて、所定の値ｍだけ、低下させ、（Ｍ−ｍ）となるように、磁気ヘッド駆動回路４０４に磁界強度を設定する。磁気ヘッド駆動回路４０４は、この設定された値に対応する磁界強度（Ｍ−ｍ）を有する磁界を発生するように磁気ヘッド３１１を駆動する。
これに対して、レーザ駆動回路４０５には、クロック５０３のみが供給されているので、直前に記録されたマークが短マークの場合と同様に、光学ヘッドはレーザ駆動回路４０５を介して駆動される。
次に、図６は、本発明の第４の実施例を示す図であり、図２（Ｄ）に対応する動作を実行する、記録補償回路４００の実施例を示す。
図６に示す記録補償回路４００は、主に、マーク長検出器４０２、磁界反転位置調整部６０１、磁気ヘッド駆動回路４０４、レーザ駆動回路４０５及び、クロック発生器５０２より構成される。図４の変調回路４０１より出力される記録データ４１１が、マーク長検出器４０２と、磁界反転位置調整部６０１に供給される。また、クロック発生回路５０２により発生されたクロック５０３が、磁界反転位置調整部６０１とレーザ駆動回路４０５に供給される。磁界反転位置調整部６０１とレーザ駆動回路４０５は、供給されたクロック５０３を基準に動作する。
マーク長検出回路４０２により、所定の長さ以上のマーク長を有する長マークが検出されると、検出信号５０４が、磁界反転位置調整部６０１に供給される。磁界反転位置調整部６０１は、検出信号５０４が供給されると、次のマークを記録するときに、長マークを記録するための記録磁界−Ｍから、そのマークを記録するための記録磁界＋Ｍへ、記録磁界を変化させる時点を、直前に記録されたマークが短マークの場合と比べて時間ｔ１だけ遅延させる。しかし、マークを記録する磁界の強度は、変化させず＋Ｍのまま保持する。
これに対して、レーザ駆動回路４０５には、クロック５０３のみが供給されているので、直前に記録されたマークが短マークの場合と同様に、光学ヘッドはレーザ駆動回路４０５を介して駆動される。
次に、図７は、本発明の第５の実施例を示す図であり、図２（Ｅ）に対応する動作を実行する、記録補償回路４００の実施例を示す。
図７に示す記録補償回路４００は、主に、マーク長検出器４０２、発光パワー設定部７０１、磁気ヘッド駆動回路４０４、レーザ駆動回路４０５及び、クロック発生器５０２より構成される。図４の変調回路４０１より出力される記録データ４１１が、マーク長検出器４０２と、磁気ヘッド駆動回路４０４に供給される。また、クロック発生回路５０２により発生されたクロック５０３が、発光パワー設定部７０１と磁気ヘッド駆動回路４０４に供給される。発光パワー設定部７０１と磁気ヘッド駆動回路４０４は、供給されたクロック５０３を基準に動作する。
マーク長検出回路４０２により、所定の長さ以上のマーク長を有する長マークが検出されると、検出信号５０４が、発光パワー設定部７０１に供給される。発光パワー設定部７０１は、検出信号５０４が供給されると、次のマークを記録するときに、レーザー光を発光させるパルスの発光時点については、直前に記録されたマークが短マークの場合と同じ時点に保持する。しかし、レーザー光を発光させるパルスの振幅を、直前に記録されたマークが短マークの場合と比べて、所定の値ａだけ、低下させ、（Ａ−ａ）となるように設定する。
これに対して、磁気ヘッド駆動回路４０４には、クロック５０３と記録データ４１１が供給されているので、直前に記録されたマークが短マークの場合と同様に、磁気ヘッドは磁気ヘッド駆動回路４０４を介して、記録データに従った磁界を発生するように駆動される。
次に、図８は、本発明の第６の実施例を示す図であり、図２（Ｆ）に対応する動作を実行する、記録補償回路４００の実施例を示す。
図８に示す記録補償回路４００は、主に、マーク長検出器４０２、パルス位置調整部８０１、磁気ヘッド駆動回路４０４、レーザ駆動回路４０５及び、クロック発生器５０２より構成される。図４の変調回路４０１より出力される記録データ４１１が、マーク長検出器４０２と、磁気ヘッド駆動回路４０４に供給される。また、クロック発生回路５０２により発生されたクロック５０３が、パルス位置調整部８０１と磁気ヘッド駆動回路４０４に供給される。パルス位置調整部８０１と磁気ヘッド駆動回路４０４は、供給されたクロック５０３を基準に動作する。
マーク長検出回路４０２により、所定の長さ以上のマーク長を有する長マークが検出されると、検出信号５０４が、パルス位置調整部８０１に供給される。パルス位置調整部８０１は、検出信号５０４が供給されると、次のマークを記録するときに、レーザー光を発光させるパルスの発光時点については、直前に記録されたマークが短マークの場合と比べて、時間ｔ２だけ遅延させる。しかし、レーザー光を発光させるパルスの振幅は、直前に記録されたマークが短マークの場合と、同一に保持する。
これに対して、磁気ヘッド駆動回路４０４には、クロック５０３と記録データ４１１が供給されているので、直前に記録されたマークが短マークの場合と同様に、磁気ヘッドは磁気ヘッド駆動回路４０４を介して、記録データに従った磁界を発生するように駆動される。
以上の実施例で説明したように、記録媒体から再生されたマークのエッジ位置が変化しないように、記録媒体にマークを記録することができる高密度光磁気記録再生装置及び、高密度光磁気記録再生方法を提供することができる。
次に、本発明の第７の実施例を、図９乃至１１を用いて説明する。第７の実施例は、マークを記録媒体から再生する際に、再生されるマークのエッジが、正規の位置になるように補正する。
図９は、本発明に従った、マークを記録媒体から再生する際に、再生されるマークのエッジが、正規の位置になるように補正するために、位置検出パターンを記録する信号フォーマットの一実施例を示す。本信号フォーマットは、ＩＤ信号が配置されるプリピット領域９０１と、ＭＯ記録領域９０２より構成される。ＭＯ記録領域９０２は、さらに、本発明に従った位相検出パターンを配置する位相検出パターン部９０３と、ユーザデータ部９０４を有する。
図１０は、位相検出パターン部９０３に配置された位相検出パターンの再生信号タイミングを示す図である。図１０（Ａ）は位相検出パターン部９０３から再生された、位相検出パターンを示す。例えば、位相検出パターンは、本実施例に示すように、最短パターンである２Ｔ信号の繰返し（パターンＰ１，Ｐ２、Ｐ３）と、最長パターンである８Ｔの信号の繰返し（パターンＰ４，Ｐ５、Ｐ６）とにより構成される。図１０（Ｂ）は、位相検出パターンを検出するためのクロック信号を示す。
図１１は、本発明に従った再生系の一実施例の概略の構成を示す図である。再生系は，図３の再生系３２０に対応する。図１１に示された再生系は、主に、増幅器１１０１、波形等化器１１０２、アナログ／ディジタル変換器１１０３、レベル検出器１１０４、位相ロックループ（ＰＬＬ）１１０５、遅延器１１０６、選択器１１０７、データ検出器１１０８、及び、復調回路１１０９より構成される。
本実施例では、先ず最初に、マークを記録媒体から再生する際に、再生されるマークのエッジが、正規の位置になるように補正するために、図９の位相検出パターン部９０３から再生された位相検出パターンを使用して、アナログ／ディジタル変換器１１０３に供給するクロックを、選択器１１０７により選択する。以下に、この動作について図１０を参照して説明する。
図３の本発明の高密度光磁気記録再生装置の概略のブロックに示された光学ヘッド３１２より再生系３２０に供給されるクロックマーク３１５が、図１１のＰＬＬ１１０５に供給される。ＰＬＬ１１０５は、クロックマーク３１５に同期したクロックＣＬＫを発生する。クロックＣＬＫは、遅延器１１０６に送られ、遅延器の各タップ１１１０からは、所定の時間だけ遅延されたクロックＣＬＫが出力される。選択器１１０７は、各タップ１１１０から出力されるクロックＣＬＫの中から、レベル検出器１１０４からの入力信号１１１１に従って、何れかを選択する。
レベル検出器１１０４は、初期状態に設定されているときには、選択器１１０７に対して、例えば、中心タップのような、所定のタップを選する信号を出力し、且つアナログ／ディジタル変換器１１０３からの出力のレベルを監視する。
先ず最初に、レベル検出器１１０４は、２Ｔの繰返しパターンである、短パターンＰ１、Ｐ２、Ｐ３のサンプリング値が、全て＋１又は−１の何れかとなり、ゼロ値付近のような中間値を取らないように、選択器１１０７を制御して、遅延器１１０６のタップ１１１０を選択する。このようにして、直前の記録パターンが短マークの場合の最適なクロック位相を決定する。
図１０（Ａ）において、円で示された点は、この短マークの場合の最適なクロック位相の状態において、アナログ／ディジタル変換器１１０３によりサンプリングされ、且つ変換されたディジタル値を示す。クロックＣＬＫの立ち上がり点が、アナログ／ディジタル変換器１１０３のサンプリング点を示す。
図１０（Ａ）に示されているように、直前に記録されたマークが２Ｔ信号の場合（Ｐ１，Ｐ２、Ｐ３）には、−１又は＋１の期待値とほぼ同様な値が、サンプリングされる。しかし、円１００１に示されているように、Ｐ４のパターンが８Ｔであるので、次のパターンＰ５の先頭のエッジが、直前のパターンＰ４の最後部内にエッジシフトし、期待値としては、−１であるにも関わらず、値０がサンプリングされている。次のパターンＰ６の先頭のエッジも同様に、直前のパターンＰ５の最後部にエッジシフトし、期待値としては、＋１であるにも関わらず、値０がサンプリングされている。従って、パターンＰ５とＰ６をサンプリングする場合には、アナログ／ディジタル変換器１１０３に供給するクロックを、図１０の例では、半クロック前にシフトしたクロックを供給することが好ましい。このようなクロックを供給することにより、アナログ／ディジタル変換器１１０３がサンプリングする円１００２で示された点は、半クロック前にアナログ／ディジタル変換器１１０３よりサンプリングされ、期待値と同じ＋１が確実にサンプリングされる。
従って、レベル検出器１１０４は、アナログ／ディジタル変換器１１０３の出力を監視しながら、選択器１１０７を制御して、遅延器１１０６の遅延の少ないタップを順次選択して、円１００２に相当するサンプリング点が、＋１となる遅延量を選択する。
このようにして、直前の記録パターンが長マークの場合の最適なクロック位相を決定する。
以上のように決定された、直前の記録パターンが短マークの場合の最適なクロック位相と、直前の記録パターンが長マークの場合の最適なクロック位相は、それぞれ、レベル検出器１１０４の中に蓄積される。
次に、実際に、ユーザデータ９０４を再生する場合について説明する。ユーザデータ９０４を再生する場合には、アナログ／ディジタル変換器１１０３の出力をデータ検出器１１０８が監視する。そして、現在再生しているパターンが所定の長さ以下の短パターンである場合には、上述のレベル検出器１１０４の中に蓄積した、直前の記録パターンが短マークの場合の最適なクロック位相を選択するように、データ検出器１１０８からレベル検出器１１０４に信号を送る。この信号を受信すると、レベル検出器１１０４は、選択器１１０７が、直前の記録パターンが短マークの場合の最適なクロック位相を選択するようにタップを選択する。一方、現在再生しているパターンが所定の長さ以上の長パターンである場合には、上述のレベル検出器１１０４の中に蓄積した、直前の記録パターンが長マークの場合の最適なクロック位相を選択するように、データ検出器１１０８からレベル検出器１１０４に信号を送る。この信号を受信すると、レベル検出器１１０４は、選択器１１０７が、直前の記録パターンが長マークの場合の最適なクロック位相を選択するようにタップを選択する。
このように、直前のパターンが、短パターンであっても、長パターンであっても、アナログ／ディジタル変換器１１０３に供給されるクロックは、最適な位相が選択される。このようにして、アナログ／ディジタル変換され、データ検出器１１０８により検出されたデータは、復調回路１１０９に送られ、検出されたユーザデータ３２１が出力される。
以上のように、本発明により、再生されたマークのエッジ位置が変化しても、マークをサンプリングするクロック位相を最適に調整することができるので、記録媒体に、高密度にデータを記録することができる。
本発明は、具体的に開示された実施例に限定されるものではなく、クレームされた本発明の範囲から逸脱することなく、種々の変形例や実施例が考えられる。
【図１】
2004006239.tif 000003
【図２】
2004006239.tif 000004
【図３】
2004006239.tif 000005
【図４】
2004006239.tif 000006
【図５】
2004006239.tif 000007
【図６】
2004006239.tif 000008
【図７】
2004006239.tif 000009
【図８】
2004006239.tif 000010
【図９】
2004006239.tif 000011
【図１０】
2004006239.tif 000012
【図１１】
2004006239.tif 000013
【手続補正書】
【提出日】平成16年10月19日(2004.10.19)
【手続補正１】
【補正対象書類名】特許請求の範囲
【補正対象項目名】全文
【補正方法】変更
【補正の内容】
【特許請求の範囲】
【請求項１】
レーザ光と磁界を用いて、光磁気記録媒体に情報マークを記録し及び再生する光磁気記録再生装置において、
記録情報マークの長さを判断する手段と、
当該記録情報マークの直前に記録されたマークの長さに応じて、当該マークを記録する記録磁界強度を変更する手段を有することを特徴とする、光磁気記録媒体に情報マークを記録し又は再生する光磁気記録再生装置。
【請求項２】
レーザ光と磁界を用いて、光磁気記録媒体に情報マークを記録し及び再生する光磁気記録再生装置において、
記録情報マークの長さを判断する手段と、
当該記録情報マークの直前に記録されたマークの長さに応じて、当該マークを記録する記録磁界の変化点を変更する手段とを有することを特徴とする、光磁気記録媒体に情報マークを記録し又は再生する光磁気記録再生装置。
【請求項３】
レーザ光と磁界を用いて、光磁気記録媒体に情報マークを記録し及び再生する光磁気記録再生装置において、
記録情報マークの長さを判断する手段と、
当該記録情報マークの直前に記録されたマークの長さに応じて、当該マークを記録するレーザ光の発光パワーを変更する手段とを有することを特徴とする、光磁気記録媒体に情報マークを記録し又は再生する光磁気記録再生装置。
【請求項４】
レーザ光と磁界を用いて、光磁気記録媒体に情報マークを記録し及び再生する光磁気記録再生装置において、
記録情報マークの長さを判断する手段と、
当該記録情報マークの直前に記録されたマークの長さに応じて、当該マークを記録するレーザ光の発光時点を変更する手段とを有することを特徴とする、光磁気記録媒体に情報マークを記録し又は再生する光磁気記録再生装置。
【請求項５】
レーザ光と磁界を用いて、光磁気記録媒体に情報マークを記録する方法において、
記録情報マークの長さを判断するステップと、
当該記録情報マークの直前に記録されたマークの長さに応じて、当該マークを記録する記録磁界強度を変更するステップを有することを特徴とする、方法。
【国際調査報告】
2004006239.tif 000014
2004006239.tif 000015
2004006239.tif 000016
2004006239.tif 000017
2004006239.tif 000018
2004006239.tif 000019